(57)【要約】【課題】温度変化などによる影響が少ない状態で正確に情報再生を行うことができ、しかもホログラム情報記録再生装置全体の小型化を図ることができるホログラム情報記録方法及びホログラム情報再生方法を提供すること。【解決手段】ホログラム記録媒体１１に高屈性率基板１２を配置したもののホログラム記録層１１ａの記録エリア１１ｃに情報を記録する場合には、ホログラム記録媒体１１に対して同一の面側から光源１４から出射された参照光Ａと、データ光Ｂとを照射する。参照光Ａは、ホログラム記録層１１ａ、反射層１１ｂ、誘電体多層膜１３及び高屈折率基板１２を透過して、ホログラム記録媒体１１に対して光源１４と異なる側に進む。ホログラム記録層１１ａの記録エリア１１ｃには、ホログラム記録媒体１１の厚さ方向にホログラム情報である干渉縞が形成される。【選択図】図４
2006343431.tif 000002
【特許請求の範囲】
【請求項１】
ホログラム記録層及び反射層を有するホログラム記録媒体のいずれか一方の面上に前記ホログラム記録媒体の屈折率よりも高い屈折率を有する基体を配置する工程と、前記基体を配置したホログラム記録媒体に対して同じ面側から参照光及びデータ光を照射して、前記ホログラム記録層に情報を記録する工程と、を具備することを特徴とするホログラム情報記録方法。
【請求項２】
前記反射層は、前記基体が接触した際に前記参照光を透過し、前記基体がない状態で前記参照光を反射するように光学設計されていることを特徴とする請求項１記載のホログラム情報記録方法。
【請求項３】
前記基体と前記ホログラム記録媒体との間に誘電体多層膜が介在していることを特徴とする請求項１又は請求項２記載のホログラム情報記録方法。
【請求項４】
請求項１から請求項３のいずれかに記載の方法により情報記録されたホログラム記録媒体に配置された前記基体を除去する工程と、情報記録されたホログラム記録媒体の前記反射層を有しない面側から参照光を照射して、前記参照光が前記反射層で反射した光で情報を再生する工程と、を具備することを特徴とするホログラム情報再生方法。
【請求項５】
情報記録された第１のホログラム記録媒体の一方の面側に、ホログラム記録層及び反射層を有する第２のホログラム記録媒体を前記ホログラム記録層が前記第１のホログラム記録媒体と対向するように配置する工程と、前記第２のホログラム記録媒体の前記反射層上に前記ホログラム記録媒体の屈折率よりも高い屈折率を有する基体を配置する工程と、前記基体を配置したホログラム記録媒体に対して前記第１のホログラム記録媒体側から参照光を照射して、前記第１のホログラム記録媒体に記録された情報を前記ホログラム記録層に記録する工程と、を具備することを特徴とするホログラム記録媒体の複製方法。
【請求項６】
情報記録された第１のホログラム記録媒体の一方の面側に、ホログラム記録層及び反射層を有する第２のホログラム記録媒体を前記反射層が前記第１のホログラム記録媒体と対向するように配置すると共に前記第１のホログラム記録媒体と前記反射層との間に、前記ホログラム記録媒体の屈折率よりも高い屈折率を有する基体を配置する工程と、前記基体を配置したホログラム記録媒体に対して前記第１のホログラム記録媒体側から参照光を照射して、前記第１のホログラム記録媒体に記録された情報を前記ホログラム記録層に記録する工程と、を具備することを特徴とするホログラム記録媒体の複製方法。
【請求項７】
ホログラム記録層及び反射層を有するホログラム記録媒体であって、前記反射層は、前記ホログラム記録媒体の屈折率よりも高い屈折率を有する基体が接触した際に参照光を透過し、前記基体がない状態で前記参照光を反射するように光学設計されていることを特徴とするホログラム記録媒体。
【発明の詳細な説明】
【技術分野】
【０００１】
本発明は、参照光とデータ光を干渉させてホログラム情報を記録、再生するホログラム情報記録方法及びホログラム情報再生方法に関する。また、本発明は、ホログラム記録媒体の複製方法に関する。
【背景技術】
【０００２】
現在、大量のデータを記録しておく媒体として、ＣＤ（コンパクトディスク）やＤＶＤ（ディジタルバーサタイルディスク）などの光記録媒体が広く利用されている。近年、高精細の動画像を記録したいという要望や、パーソナルコンピュータの発達によりさらに大量のデータを記録したいという要望があり、ＣＤやＤＶＤのような光記録媒体では、このような大量のデータを記録するために十分な高密度化を図ることができず、１枚のディスクにこれらの大量のデータを記録することができない。したがって、これらの大量のデータを記録するためには、複数のディスクを交換しながら記録しなければならない。近年、現在のＣＤやＤＶＤなどに比べてかなりの大量のデータを記録することができるホログラム記録媒体が注目されている。
【０００３】
ホログラム情報記録とは、ビーム光を互いにコヒーレントな２つの光に分波し、一方の光を空間光変調器でデータ変調してデータ光とし、他方の光を参照光として記録媒体上で合波することにより、データを干渉縞として記録する方式である。そして、この記録媒体に記録時と同じ参照光を照射することにより、データ光を再生光として検出することができ、これによりデータを再生することができる。
【０００４】
上記したようなホログラムによる情報の記録及び再生方法として、反射型ホログラムと称される方式が知られている。この反射型ホログラムによるホログラム情報の記録方式は、記録したいデータを含むデータ光と、このデータ光と干渉させる参照光を記録媒体を挟んで両側から照射することで記録媒体にデータを干渉縞として記録する方式である。そして、記録された情報を再生するには、参照光を照射した際に、回折光が、参照光を入射する側と同じ側に回折されることから、記録媒体に対して参照光を照射する光源と同じ側に光検出器を配設しておく必要がある。
【０００５】
ところが、この反射型ホログラムの記録方式で記録されるホログラム情報（干渉縞）は、干渉縞が記録媒体面に沿った方向（記録媒体面に平行又は略平行となる方向）に形成されるため、環境温度の変化などに基づく記録媒体の膨張に弱いという問題が考えられる。すなわち、温度変化により、記録媒体が媒体表面に対して垂直方向に膨張すると、記録された干渉縞の幅が大きく変化する傾向となり、結果として、記録された情報を正確に再生することができなくなってしまうという問題がある。
【０００６】
これに対して、例えば、特許文献１に開示されているような透過型ホログラムと称されるホログラム情報の記録方式では、記録したいデータを含むデータ光と、この信号光と干渉させる参照光を、記録媒体に対して同一の面側から照射するため、干渉縞は、記録媒体面の厚さ方向（例えば、記録媒体面に対して略垂直な方向）に形成される。したがって、温度変化などにより、記録媒体が媒体表面に対して垂直方向に膨張したとしても、反射型ホログラムのように、干渉縞の間隔が変化するようなことが小さく、安定した再生信号が得られるようになる。
【特許文献１】特開２００２−２１６３５９号公報
【発明の開示】
【発明が解決しようとする課題】
【０００７】
しかしながら、上記した透過型ホログラムによる記録方式では、記録されたホログラム情報を再生するには、参照光を照射した際に、回折光は、参照光を入射する側と反対側に透過して回折されることから、光検出器を記録媒体に対して参照光を照射する光源と反対側に配設しておく必要がある。すなわち、記録媒体を挟んで、一方の側に参照光用の光源などを含む照射ユニットを設置しておき、他方の側に回折光を検出する光検出器を含む検出ユニットを設置しなければならないことから、記録媒体の厚さ方向にスペースが必要となり、装置全体が大型化するという問題がある。
【０００８】
本発明はかかる点に鑑みてなされたものであり、温度変化などによる影響が少ない状態で正確に情報再生を行うことができ、しかもホログラム情報記録再生装置全体の小型化を図ることができるホログラム情報記録方法及びホログラム情報再生方法を提供することを目的とする。
【課題を解決するための手段】
【０００９】
本発明のホログラム情報記録方法は、ホログラム記録層及び反射層を有するホログラム記録媒体のいずれか一方の面上に前記ホログラム記録媒体の屈折率よりも高い屈折率を有する基体を配置する工程と、前記基体を配置したホログラム記録媒体に対して同じ面側から参照光及びデータ光を照射して、前記ホログラム記録層に情報を記録する工程と、を具備することを特徴とする。
【００１０】
本発明のホログラム情報記録方法においては、前記反射層は、前記基体が接触した際に前記参照光を透過し、前記基体がない状態で前記参照光を反射するように光学設計されていることが好ましい。また、本発明のホログラム情報記録方法においては、前記基体と前記ホログラム記録媒体との間に誘電体多層膜が介在していることが好ましい。
【００１１】
本発明のホログラム情報再生方法は、上記方法により情報記録されたホログラム記録媒体に配置された前記基体を除去する工程と、情報記録されたホログラム記録媒体の前記反射層を有しない面側から参照光を照射して、前記参照光が前記反射層で反射した光で情報を再生する工程と、を具備することを特徴とする。
【００１２】
これらの方法によれば、光検出器をホログラム記録媒体に対して光源と同一の側に設置することが可能となる。したがって、光検出器をホログラム記録媒体に対して光源の反対側に設置する構成と比較して、ラインなどの接続部材、放熱部材などを一方側に集約することが可能となり、装置全体の厚さを薄くすることが可能となる。また、この方法によれば、ホログラム記録媒体の厚さ方向に干渉縞が形成されるので、情報再生時においてホログラム記録媒体が膨張しても、ホログラム情報が変化（干渉縞の幅が変化）することを低減できる。
【００１３】
本発明のホログラム記録媒体の複製方法は、情報記録された第１のホログラム記録媒体の一方の面側に、ホログラム記録層及び反射層を有する第２のホログラム記録媒体を前記ホログラム記録層が前記第１のホログラム記録媒体と対向するように配置する工程と、前記第２のホログラム記録媒体の前記反射層上に前記ホログラム記録媒体の屈折率よりも高い屈折率を有する基体を配置する工程と、前記基体を配置したホログラム記録媒体に対して前記第１のホログラム記録媒体側から参照光を照射して、前記第１のホログラム記録媒体に記録された情報を前記ホログラム記録層に記録する工程と、を具備することを特徴とする。
【００１４】
本発明のホログラム記録媒体の複製方法は、情報記録された第１のホログラム記録媒体の一方の面側に、ホログラム記録層及び反射層を有する第２のホログラム記録媒体を前記反射層が前記第１のホログラム記録媒体と対向するように配置すると共に前記第１のホログラム記録媒体と前記反射層との間に、前記ホログラム記録媒体の屈折率よりも高い屈折率を有する基体を配置する工程と、前記基体を配置したホログラム記録媒体に対して前記第１のホログラム記録媒体側から参照光を照射して、前記第１のホログラム記録媒体に記録された情報を前記ホログラム記録層に記録する工程と、を具備することを特徴とする。
【００１５】
これらの方法によれば、透過型ホログラム情報記録再生方式において、ホログラム記録媒体に反射層を設けても、良好にホログラム記録媒体の複製を行うことができる。
【００１６】
本発明のホログラム記録媒体は、ホログラム記録層及び反射層を有するホログラム記録媒体であって、前記反射層は、前記ホログラム記録媒体の屈折率よりも高い屈折率を有する基体が接触した際に参照光を透過し、前記基体がない状態で前記参照光を反射するように光学設計されていることを特徴とする。
【発明の効果】
【００１７】
本発明によれば、反射層を有するホログラム記録媒体を用いたホログラム情報記録再生方式において、他の光学部材を配設することにより、光を透過させる反射層を用いるので、ホログラム情報記録再生及びホログラム記録媒体の複製を行うことができる。
【発明を実施するための最良の形態】
【００１８】
透過型ホログラム情報記録再生方式においては、上述したように、光検出器をホログラム記録媒体に対して参照光を照射する光源と反対側に配設しておく必要がある。本発明者は、先に、ホログラム記録媒体に反射層を設け、ホログラム記録媒体に対して光検出器を光源と同じ側に配置して、反射層で反射した参照光を光検出器で検出する構成を提案している（特願２００５−５１５１１号）。このようにホログラム記録媒体に反射層を設けると、ホログラム記録媒体を複製する場合には、光源からの光が反射層で反射した光と干渉してしまい、複製を行うことができない。本発明者は、この点に着目し、透過型ホログラム情報記録再生方式において、ホログラム記録媒体に反射層を設けても、良好にホログラム記録媒体の複製を行うことができるような構成を見出し本発明をするに至った。
【００１９】
すなわち、本発明の骨子は、反射層を有するホログラム記録媒体を用いた透過型ホログラム情報記録再生方式において、他の光学部材を配設することにより、光を透過させる反射層を用いて、ホログラム情報記録再生及びホログラム記録媒体の複製を行うことである。具体的には、図１に示すように、ホログラム記録媒体のホログラム記録層１のいずれか一方の面上に反射層２が存在し、反射層２のホログラム記録層１と接触しない側の面に何も存在しない（空気と接触する）とすると、ホログラム記録層１の反射層２のない面側からの光Ｘは、ホログラム記録層１を透過して反射層２で反射する。このようなホログラム記録媒体において、反射層２のホログラム記録層１が存在しない側に、ホログラム記録媒体の屈折率よりも高い屈折率を有する基体（高屈折率基体）３を配置し、ホログラム記録層１の反射層２のない面側からの光Ｙがホログラム記録層１及び反射層２を透過するように、反射層２の光学設計を行う。これにより、透過型ホログラム情報記録再生方式において、ホログラム情報記録再生及びホログラム記録媒体の複製を行うことができる。この構成においては、図３に示すように、高屈折率基体３と反射層２との間に誘電体多層膜４などの光学的調整層を設けても、ホログラム記録層１の反射層２のない面側からの光Ｚがホログラム記録層１及び反射層２を透過するようにすることができる。光学的調整層を設けることにより、高屈折率基体３や反射層２の光学設計の自由度を高めることが可能となる。
【００２０】
以下、本発明の実施の形態について添付図面を参照して詳細に説明する。
（実施の形態１）
図４は、本発明の実施の形態に係るホログラム情報記録方法を説明するための図である。図４において、参照符号１１はホログラム記録媒体を示す。ホログラム記録媒体１１は、ホログラム記録層１１ａと、このホログラム記録の一方の面上には、反射層１２が形成されている。ホログラム記録媒体１１の反射層１１ｂ上には、ホログラム記録媒体の屈折率よりも高い屈折率を有する基体である高屈折率基板１２が配置されている。この高屈折率基板１２とホログラム記録媒体１１の反射層１１ｂとの間には、誘電体多層膜１３が配置されている。なお、誘電体多層膜１３は、反射層１２の光学設計の自由度を増すために設けるので、必ずしも必要とするものではない。
【００２１】
ホログラム記録媒体１１のホログラム記録層１１ａは、干渉縞が記録される層であり、例えば、フォトポリマーなどの樹脂材料によって形成される。このホログラム記録層１１は、透明材料（例えば、ポリカーボネート、アクリル、ガラス）で構成された一対の基板（図示せず）で挟持される。
【００２２】
ホログラム記録媒体１１の反射層１１ｂは、ホログラム記録媒体の屈折率よりも高い屈折率を有する基体が接触した際に参照光を透過し、前記基体がない状態で前記参照光を反射するように光学設計されている。例えば、反射層１１ｂは、誘電体多層膜で構成する。この誘電体多層膜は、光の干渉作用を利用して誘電体多層膜１３及び高屈折率基板１２を参照光が透過するように、各層の材料、層数、層厚などが適宜決定される。また、誘電体多層膜１３についても、同様に誘電体多層膜１３及び高屈折率基板１２を参照光が透過するように、各層の材料、層数、層厚などが適宜決定される。また、高屈折率基板１２についても、同様に誘電体多層膜１３及び高屈折率基板１２を参照光が透過するように、適宜屈折率が設定される。さらに、反射層１１ｂと誘電体多層膜１３との間、あるいは誘電体多層膜１３を有しない場合に反射層１１ｂと高屈折率基板１２との間には、反射層１１ｂの屈折率に近い屈折率を有する流体（例えば水やオイル）を介在させることが好ましい。これにより、マッチング効果が発揮され、反射層１１ｂと誘電体多層膜１３との間の界面あるいは反射層１１ｂと高屈折率基板１２との間の界面において凹凸が存在しても、その凹凸により光学特性が変化することを防止できる。
【００２３】
このようにホログラム記録媒体１１に高屈性率基板１２を配置したもののホログラム記録層１１ａの記録エリア１１ｃに情報を記録する場合には、ホログラム記録媒体１１に対して同一の面側から光源１４から出射された参照光Ａと、データ光Ｂとを照射する。このとき、参照光Ａは、ホログラム記録層１１ａ、反射層１１ｂ、誘電体多層膜１３及び高屈折率基板１２を透過して、ホログラム記録媒体１１に対して光源１４と異なる側に進む。そして、ホログラム記録層１１ａの記録エリア１１ｃには、図４に示すように、ホログラム記録媒体１１の厚さ方向（例えば、記録媒体面に対して直交方向又は略直交方向）にホログラム情報である干渉縞が形成される。このようにホログラム記録媒体１１の厚さ方向に干渉縞が形成されることにより、情報再生時においてホログラム記録媒体１１が膨張しても、反射型ホログラム情報記録再生方式の場合と比較して、ホログラム情報が変化（干渉縞の幅が変化）することを低減できる。
【００２４】
情報再生時においては、図５に示すように、誘電体多層膜１３及び高屈折率基板１２をホログラム記録媒体１１から取り外す。そして、ホログラム記録媒体１１に対する光源１４の相対的位置を変えて、光源１４から出射されてホログラム記録媒体１１の反射層１１ｂで反射した光が情報記録時の参照光と同じ角度でホログラム記録層１１ａに入射するようにする。すなわち、光源１４から出射された参照光Ａがホログラム記録媒体１１の反射層１１ｂで反射し、その反射光がホログラム記録層１１ａの記録エリア１１ｃで回折して再生光Ｃとして出射される。この再生光Ｃは、参照光Ａを出射する側に配設した光検出器１５で検知することが可能である。
【００２５】
上述したように、本実施の形態においては、ホログラム記録層１１ａ及び反射層１１ｂを有するホログラム記録媒体１１のいずれか一方の面上にホログラム記録媒体１１の屈折率よりも高い屈折率を有する高屈折率基板１２を配置し、この高屈折率基板１２を配置したホログラム記録媒体１１に対して同じ面側から参照光Ａ及びデータ光Ｂを照射して、ホログラム記録層１１ａに情報を記録する。また、このように情報記録されたホログラム記録媒体１１に配置された高屈折率基板１２を除去し、情報記録されたホログラム記録媒体１１の反射層１１ｂを有しない面側から参照光Ａを照射して、参照光Ａが反射層１１ｂで反射した光で情報を再生する。
【００２６】
このようなホログラム情報記録再生方法によれば、光検出器１５をホログラム記録媒体１１に対して光源１４と同一の側に設置することが可能となる。したがって、光検出器１５をホログラム記録媒体１１に対して光源１４の反対側に設置する構成と比較して、ラインなどの接続部材、放熱部材などを一方側に集約することが可能となり、装置全体の厚さを薄くすることが可能となる。また、この方法によれば、ホログラム記録媒体１１の厚さ方向に干渉縞が形成されるので、情報再生時においてホログラム記録媒体１１が膨張しても、ホログラム情報が変化（干渉縞の幅が変化）することを低減できる。
【００２７】
次に、本実施の形態に係る方式でホログラム記録媒体を複製する場合には、情報記録されたマスターのホログラム記録媒体の一方の面側に、ホログラム記録層及び反射層を有するブランクのホログラム記録媒体を前記ホログラム記録層がマスターのホログラム記録媒体と対向するように配置し、ブランクのホログラム記録媒体の反射層上にホログラム記録媒体の屈折率よりも高い屈折率を有する高屈折率基板を配置し、この高屈折率基板を配置したホログラム記録媒体に対してマスターのホログラム記録媒体側から参照光を照射して、マスターのホログラム記録媒体に記録された情報をブランクのホログラム記録媒体のホログラム記録層に記録する。
【００２８】
具体的には、図６に示すように、情報記録されたマスターホログラム記録媒体１７の下方に所定の間隔をおいて、例えばスペーサ１８を介してブランクホログラム記録媒体１９を配置する。ブランクホログラム記録媒体１９は、ホログラム記録層１９ａと反射層１９ｂとから構成されており、ホログラム記録層１９ａがマスターホログラム記録媒体１７と対向するように配置される。ブランクホログラム記録媒体１９の反射層１９ｂのホログラム記録層１９ａと反対側には、高屈折率基板１２が配置されている。そして、反射層１９ｂと高屈折率基板１２との間には、誘電体多層膜１２が配置されている。なお、この反射層１９ｂは、高屈折率基板１２が接触した際に参照光Ａを透過し、前記基板がない状態で前記参照光Ａを反射するように光学設計されている。
【００２９】
このようにマスターホログラム記録媒体１７とブランクホログラム記録媒体１９とを図６に示すように配置した後に、光源１４から出射した光をレンズ１６で平行光にしてなる参照光Ａをマスターホログラム記録媒体１７及びブランクホログラム記録媒体１９に照射すると、マスターホログラム記録媒体１７には反射層がないので、参照光Ａが記録エリア１７ａで回折してデータ光が下方に向けられる。このデータ光はブランクホログラム記録媒体１９に到達すると、照射された参照光Ａとによりホログラム記録が行われて、ブランクホログラム記録媒体１９のホログラム記録層１９ａに干渉縞が形成される。このようにして、ブランクホログラム記録媒体１９のホログラム記録層１９ａに記録エリア１９ｃが形成されて複製が行われる。複製されたホログラム記録媒体１９は、高屈折率基板１２及び誘電体多層膜１３を取り外すことにより、上述したようにしてホログラム情報再生することができる。
【００３０】
本実施の形態に係るホログラム記録媒体の複製方法によれば、透過型ホログラム情報記録再生方式において、ホログラム記録媒体に反射層を設けても、良好にホログラム記録媒体の複製を行うことができる。
【００３１】
（実施の形態２）
実施の形態１に係る態様は、ホログラム記録媒体に記録した情報を共役光で情報再生する態様である。すなわち、実施の形態１に係る態様においては、情報再生時に、ホログラム記録媒体の反射層で反射した参照光が情報記録時に用いた参照光と共役の関係にある。本実施の形態においては、情報再生時に、ホログラム記録媒体の反射層で反射した参照光が情報記録時に用いた参照光と同じ関係にある場合について説明する。
【００３２】
図７は、本発明の実施の形態２に係るホログラム情報記録方法を説明するための図である。図７において、図４と同じ部分については図４と同じ符号を付して、その詳細な説明は省略する。本実施の形態においては、ホログラム記録媒体の反射層側に高屈折率基板を配置し、高屈折率基板側から参照光及びデータ光を照射してホログラム情報記録を行う。
【００３３】
図７において、ホログラム記録媒体１１は、ホログラム記録層１１ａと、このホログラム記録の一方の面上には、反射層１２が形成されている。ホログラム記録媒体１１の反射層１１ｂ上には、ホログラム記録媒体の屈折率よりも高い屈折率を有する基体である高屈折率基板１２が配置されている。この高屈折率基板１２とホログラム記録媒体１１の反射層１１ｂとの間には、誘電体多層膜１３が配置されている。なお、誘電体多層膜１３は、反射層１２の光学設計の自由度を増すために設けるので、必ずしも必要とするものではない。
【００３４】
このようにホログラム記録媒体１１に高屈性率基板１２を配置したもののホログラム記録層１１ａの記録エリア１１ｃに情報を記録する場合には、ホログラム記録媒体１１に対して同一の面側から光源１４から出射された参照光Ａと、データ光Ｂとを照射する。このとき、実施の形態１と異なり、参照光Ａ及びデータ光Ｂを高屈折率基板１３側からホログラム記録媒体１１に照射する。すなわち、ホログラム記録媒体１１の反射層１１ｂは、ホログラム記録媒体１１の参照光Ａ及びデータ光Ｂが入射する側に配置される。
【００３５】
参照光Ａは、高屈折率基板１２、誘電体多層膜１３、反射層１１ｂ及びホログラム記録層１１ａを透過して、ホログラム記録媒体１１に対して光源１４と異なる側に進む。そして、ホログラム記録層１１ａの記録エリア１１ｃには、図７に示すように、ホログラム記録媒体１１の厚さ方向（例えば、記録媒体面に対して直交方向又は略直交方向）にホログラム情報である干渉縞が形成される。このようにホログラム記録媒体１１の厚さ方向に干渉縞が形成されることにより、情報再生時においてホログラム記録媒体１１が膨張しても、反射型ホログラム情報記録再生方式の場合と比較して、ホログラム情報が変化（干渉縞の幅が変化）することを低減できる。
【００３６】
情報再生時においては、図８に示すように、誘電体多層膜１３及び高屈折率基板１２をホログラム記録媒体１１から取り外す。そして、ホログラム記録媒体１１を裏返して配置する。すなわち、図８に示すように、ホログラム記録媒体１１のホログラム記録層１１ａが光源１４及び光検出器１５側に向くようにホログラム記録媒体１１を配置する。この状態で、光源１４からホログラム記録媒体１１に参照光Ａを出射する。この参照光Ａは、ホログラム記録媒体１１の反射層１１ｂで反射し、その反射光が情報記録時の参照光と同じ角度でホログラム記録層１１ａに入射するようにする。すなわち、光源１４から出射された参照光Ａがホログラム記録媒体１１の反射層１１ｂで反射し、その反射光がホログラム記録層１１ａの記録エリア１１ｃで回折して再生光Ｃとして出射される。この再生光Ｃは、参照光Ａを出射する側に配設した光検出器１５で検知することが可能である。
【００３７】
上述したように、本実施の形態においても、ホログラム記録層１１ａ及び反射層１１ｂを有するホログラム記録媒体１１のいずれか一方の面上にホログラム記録媒体１１の屈折率よりも高い屈折率を有する高屈折率基板１２を配置し、この高屈折率基板１２を配置したホログラム記録媒体１１に対して同じ面側から参照光Ａ及びデータ光Ｂを照射して、ホログラム記録層１１ａに情報を記録する。また、このように情報記録されたホログラム記録媒体１１に配置された高屈折率基板１２を除去し、情報記録されたホログラム記録媒体１１の反射層１１ｂを有しない面側から参照光Ａを照射して、参照光Ａが反射層１１ｂで反射した光で情報を再生する。
【００３８】
このようなホログラム情報記録再生方法によれば、光検出器１５をホログラム記録媒体１１に対して光源１４と同一の側に設置することが可能となる。したがって、光検出器１５をホログラム記録媒体１１に対して光源１４の反対側に設置する構成と比較して、ラインなどの接続部材、放熱部材などを一方側に集約することが可能となり、装置全体の厚さを薄くすることが可能となる。また、この方法によれば、ホログラム記録媒体１１の厚さ方向に干渉縞が形成されるので、情報再生時においてホログラム記録媒体１１が膨張しても、ホログラム情報が変化（干渉縞の幅が変化）することを低減できる。
【００３９】
次に、本実施の形態に係る方式でホログラム記録媒体を複製する場合には、情報記録されたマスターのホログラム記録媒体の一方の面側に、ホログラム記録層及び反射層を有するブランクのホログラム記録媒体を前記反射層がマスターのホログラム記録媒体と対向するように配置すると共にマスターのホログラム記録媒体と前記反射層との間に、前記ホログラム記録媒体の屈折率よりも高い屈折率を有する基板を配置し、この高屈折率基板を配置したホログラム記録媒体に対してマスターのホログラム記録媒体側から参照光を照射して、前記マスターのホログラム記録媒体に記録された情報をブランクのホログラム記録媒体のホログラム記録層に記録する。
【００４０】
具体的には、図９に示すように、情報記録されたマスターホログラム記録媒体１７とブランクホログラム記録媒体１９との間に高屈折率基板１２を介在させる。すなわち、ブランクホログラム記録媒体１９は、ホログラム記録層１９ａと反射層１９ｂとから構成されており、ブランクホログラム記録媒体１９の反射層１９ｂと高屈折率基板１２とが接触するようにして、マスターホログラム記録媒体１７とブランクホログラム記録媒体１９との間に高屈折率基板１２を配置する。なお、この反射層１９ｂは、高屈折率基板１２が接触した際に参照光Ａを透過し、前記基板がない状態で前記参照光Ａを反射するように光学設計されている。
【００４１】
このようにマスターホログラム記録媒体１７とブランクホログラム記録媒体１９とを図９に示すように配置した後に、光源１４から出射した光をレンズ１６で平行光にしてなる参照光Ａをマスターホログラム記録場体１７及びブランクホログラム記録媒体１９に照射すると、マスターホログラム記録媒体１７には反射層がないので、参照光Ａが記録エリア１７ａで回折してデータ光が下方に向けられる。このデータ光は高屈折率基板１２を透過してブランクホログラム記録媒体１９に到達する。さらに、このデータ光は、反射層１９ｂを透過してホログラム記録層１９ａに到達し、照射された参照光Ａとによりホログラム記録が行われて、ブランクホログラム記録媒体１９のホログラム記録層１９ａに干渉縞が形成される。このようにして、ブランクホログラム記録媒体１９のホログラム記録層１９ａに記録エリア１９ｃが形成されて複製が行われる。複製されたホログラム記録媒体１９は、高屈折率基板１２及び誘電体多層膜１３を取り外すことにより、上述したようにしてホログラム情報再生することができる。
【００４２】
本実施の形態に係るホログラム記録媒体の複製方法によれば、透過型ホログラム情報記録再生方式において、ホログラム記録媒体に反射層を設けても、良好にホログラム記録媒体の複製を行うことができる。
【００４３】
（実施の形態３）
本実施の形態に係る態様においては、情報記録時には、ホログラム記録媒体に反射層を設けないで情報記録を行い、その後ホログラム記録媒体に反射層を設ける場合について説明する。図１０は、本発明の実施の形態３に係るホログラム情報記録方法を説明するための図であり、図１１及び図１２は、本発明の実施の形態３に係るホログラム情報再生方法を説明するための図である。図１０〜図１２において、図４と同じ部分については図４と同じ符号を付して、その詳細な説明は省略する。
【００４４】
情報記録する場合には、図１０に示すように、ホログラム記録媒体２０に対して同一の面側から光源１４から出射された参照光Ａと、データ光Ｂとを照射する。これにより、ホログラム記録媒体２０の記録エリア２０ａには、図１０に示すように、ホログラム記録媒体２０の厚さ方向（例えば、記録媒体面に対して直交方向又は略直交方向）にホログラム情報である干渉縞が形成される。このようにホログラム記録媒体２０の厚さ方向に干渉縞が形成されることにより、情報再生時においてホログラム記録媒体２０が膨張しても、反射型ホログラム情報記録再生方式の場合と比較して、ホログラム情報が変化（干渉縞の幅が変化）することを低減できる。
【００４５】
情報再生時においては、図１１に示すように、ホログラム記録媒体２０の一方の表面、すなわち参照光Ａ及びデータ光Ｂを照射した側の表面２０ｂ上に反射層２１を設ける。そして、図１２に示すように、ホログラム記録媒体２０の反射層２１を有しない表面が光源１４及び光検出器１５側に向くようにホログラム記録媒体２０を配置する。この状態で、光源１４からホログラム記録媒体２０に参照光Ａを出射する。この参照光Ａは、ホログラム記録媒体２０の反射層２１で反射し、その反射光が情報記録時の参照光と同じ角度でホログラム記録媒体２０に入射するようにする。すなわち、光源１４から出射された参照光Ａがホログラム記録媒体２０の反射層２１で反射し、その反射光がホログラム記録媒体２０の記録エリア２０ａで回折して再生光Ｃとして出射される。この再生光Ｃは、参照光Ａを出射する側に配設した光検出器１５で検知することが可能である。なお、図１０及び図１１においてホログラム記録媒体２０内に示す黒丸は、ホログラム記録媒体２０の向きを明確にするための印である。
【００４６】
上述したように、本実施の形態においても、光検出器１５をホログラム記録媒体２０に対して光源１４と同一の側に設置することが可能となる。したがって、光検出器１５をホログラム記録媒体２０に対して光源１４の反対側に設置する構成と比較して、ラインなどの接続部材、放熱部材などを一方側に集約することが可能となり、装置全体の厚さを薄くすることが可能となる。また、この方法によれば、ホログラム記録媒体２０の厚さ方向に干渉縞が形成されるので、情報再生時においてホログラム記録媒体２０が膨張しても、ホログラム情報が変化（干渉縞の幅が変化）することを低減できる。
【００４７】
本発明は上記実施の形態１〜３に限定されず、種々変更して実施することが可能である。上記実施の形態１〜３においては、反射層が誘電体多層膜である場合について説明しているが、本発明においては、図２及び図３に示すように、ホログラム記録媒体１の反射層２のない面側からの光Ｙ，Ｚがホログラム記録媒体１及び反射層２を透過することができれば、反射層が誘電体多層膜以外の光学部材であっても適用することができる。その他、本発明の目的の範囲を逸脱しない限りにおいて適宜変更して実施することが可能である。
【図面の簡単な説明】
【００４８】
【図１】本発明の実施の形態に係るホログラム情報記録方法の原理を説明するための図である。
【図２】本発明の実施の形態に係るホログラム情報記録方法の原理を説明するための図である。
【図３】本発明の実施の形態に係るホログラム情報記録方法の原理を説明するための図である。
【図４】本発明の実施の形態１に係るホログラム情報記録方法を説明するための図である。
【図５】本発明の実施の形態１に係るホログラム情報再生方法を説明するための図である。
【図６】本発明の実施の形態１に係るホログラム記録媒体の複製方法を説明するための図である。
【図７】本発明の実施の形態２に係るホログラム情報記録方法を説明するための図である。
【図８】本発明の実施の形態２に係るホログラム情報再生方法を説明するための図である。
【図９】本発明の実施の形態２に係るホログラム記録媒体の複製方法を説明するための図である。
【図１０】本発明の実施の形態３に係るホログラム情報記録方法を説明するための図である。
【図１１】本発明の実施の形態３に係るホログラム情報再生方法を説明するための図である。
【図１２】本発明の実施の形態３に係るホログラム情報再生方法を説明するための図である。
【符号の説明】
【００４９】
１，１１ａ，１９ａ  ホログラム記録層
２，１１ｂ，１９ｂ，２１  反射層
３  基体
４，１３  誘電体多層膜
１１，２０  ホログラム記録媒体
１１ｃ，１７ａ，２０ａ  記録エリア
１２  高屈折率基板
１４  光源
１５  光検出器
１６  レンズ
１７  マスターホログラム記録媒体
１８  スペーサ
１９  ブランクホログラム記録媒体
【図１】
2006343431.tif 000003
【図２】
2006343431.tif 000004
【図３】
2006343431.tif 000005
【図４】
2006343431.tif 000006
【図５】
2006343431.tif 000007
【図６】
2006343431.tif 000008
【図７】
2006343431.tif 000009
【図８】
2006343431.tif 000010
【図９】
2006343431.tif 000011
【図１０】
2006343431.tif 000012
【図１１】
2006343431.tif 000013
【図１２】
2006343431.tif 000014